(57)【要約】【課題】例えば看板等の本体に（光源ユニットとして）設置する際に、盤面における明るさの均一化に必要とされる数を減らすことが可能な光源装置を提供すること、また、盤面における明るさの均一化に必要とされる光源装置の配置自由度を高め、位置決めを行いやすくし、加えて作業性を高めることが可能な光源装置及び光源ユニットを提供する。【解決手段】複数の発光素子（ＬＥＤ１１）と、ＬＥＤ１１が実装された基板１２と、基板１２を内装して、ＬＥＤ１１が載置された複数の載置部１３を備える筐体と、を有する光源装置１において、筐体は、基板１２の一方側を覆うカバー部１４と、基板１２の他方側を覆う底部１５と、から構成されており、カバー部１４は、カバー部１４の周囲から中央に向けて上りの傾斜面１４ｇを含むとともに、載置部１３は、傾斜面１４ｇに設けられている。【選択図】図１
2008227011.tif 000002
【特許請求の範囲】
【請求項１】
複数の発光素子と、
前記発光素子が実装された基板と、
前記基板を内装して、前記発光素子が載置された複数の載置部を備える筐体と、を有する光源装置において、
前記筐体は、前記基板の一方側を覆うカバー部と、前記基板の他方側を覆う底部と、から構成されており、
前記カバー部は、当該カバー部の周囲から中央に向けて上りの傾斜面を含むとともに、
前記載置部は、前記傾斜面に設けられていることを特徴とする光源装置。
【請求項２】
前記カバー部の内部には、当該カバー部の中央から前記底部に向かって延びる筒状部が形成され、前記基板には、前記筒状部が貫入する貫入孔が形成されているとともに、
前記基板は、前記筒状部を前記貫入孔に挿入することによって位置決めされていることを特徴とする請求項１記載の光源装置。
【請求項３】
前記載置部は、凹状に形成されていることを特徴とする請求項１又は２記載の光源装置。
【請求項４】
前記載置部には、樹脂が充填されていることを特徴とする請求項１から３のいずれか記載の光源装置。
【請求項５】
前記載置部の外周には、前記発光素子の表面よりも突出する壁部が立設されていることを特徴とする請求項１から４のいずれか記載の光源装置。
【請求項６】
前記基板は、前記底部側から樹脂により封止されていることを特徴とする請求項１から５のいずれか記載の光源装置。
【請求項７】
発光素子と、当該発光素子が実装された基板と、当該基板に電流を供給するケーブルと、当該ケーブルと当該基板とを導通させる導通部材と、を有する光源装置において、
前記導通部材は、前記ケーブルを押圧して導通させる切込溝を有するとともに、前記切込溝により前記ケーブルと前記導通部材とが接続されていることを特徴とする光源装置。
【請求項８】
前記ケーブルと前記導通部材との接合部は、樹脂により封止されていることを特徴とする請求項７記載の光源装置。
【請求項９】
前記基板は、樹脂により被覆されているとともに、当該樹脂は、前記基板と前記接合部との間に充填されていることを特徴とする請求項８記載の光源装置。
【請求項１０】
請求項７から請求項９記載の光源装置を複数備えるとともに、それらが前記ケーブルによって連結されていることを特徴とする光源ユニット。
【発明の詳細な説明】
【技術分野】
【０００１】
本発明は、複数の発光素子を所定の位置に配置した光源装置及びその光源装置を複数備える光源ユニットに関する。
【背景技術】
【０００２】
従来、広告看板や道路標識、チャンネル文字看板などの光源として、蛍光管やネオン管が用いられているものが多かった。しかし、近年は、長寿命，省エネ，省スペース，環境に優しい等のメリットから、それらの光源として発光ダイオード（ＬＥＤ）が代用されるようになっている。
【０００３】
複数のＬＥＤから構成され、照明看板としての用途を有するＬＥＤモジュールにおいて、ＬＥＤの配置態様は様々である。例えば、ＬＥＤを直線状に並べたライン光源、一箇所に集中させて並べたスポット光源、個々のＬＥＤモジュールをケーブルで繋いで、自由曲線に対応可能な構造とした自在ユニット光源などである。
【０００４】
ここで、上述の自在光源ユニットについては、例えば特許文献１に開示された照明看板用発光ダイオードアセンブリが存在する。これは、プリント回路基板の上面（平面）に、多数のＬＥＤ（特許文献１では４個）を集中させて配置したものであって、指向性が強いものとなっている。
【０００５】
【特許文献１】特開２００４−３１００９０号公報（図１）
【発明の開示】
【発明が解決しようとする課題】
【０００６】
しかしながら、上述した照明看板用発光ダイオードアセンブリでは、ＬＥＤの指向性が強いことに起因して、ＬＥＤの照射方向正面の限られた範囲（主として４個のＬＥＤの真上）だけが明るくなる。そのため、これを看板等のバックライト光源として使用する場合には、盤面の均一な明るさを確保するため、モジュール（アセンブリ）同士の配置間隔をある程度狭める必要がある。そして、この配置間隔を狭めなければならないとなると、必要とされるアセンブリ個数も増える結果、全体の製造コストが嵩んでしまう。
【０００７】
また、上述した照明看板用発光ダイオードアセンブリでは、個々のＬＥＤモジュールを繋ぐケーブルは、その両端を回路基板に半田付けして接続している。従って、モジュール同士の間隔はケーブル長によって決まってしまうため、個々のユーザが自由に間隔を指定するのは困難である。その結果、盤面の均一な明るさを確保することができない場合がある。なお、実際には、各メーカが定めている標準長さによって、モジュール同士の間隔を決めているケースが多い。
【０００８】
本発明は、以上の点に鑑みてなされたものであり、その目的は、例えば看板等の本体に（光源ユニットとして）設置する際に、盤面における明るさの均一化及び光の照射領域を広げることが可能な光源装置を提供すること、また、盤面における明るさの均一化及び光の照射領域を広げることに必要とされる光源装置の配置自由度を高め、位置決めを行いやすくし、加えて作業性を高めることが可能な光源装置及び光源ユニットを提供することにある。
【課題を解決するための手段】
【０００９】
以上のような課題を解決するために、本発明は、以下のものを提供する。
【００１０】
（１）  複数の発光素子と、前記発光素子が実装された基板と、前記基板を内装して、前記発光素子が載置された複数の載置部を備える筐体と、を有する光源装置において、前記筐体は、前記基板の一方側を覆うカバー部と、前記基板の他方側を覆う底部と、から構成されており、前記カバー部は、当該カバー部の周囲から中央に向けて上りの傾斜面を含むとともに、前記載置部は、前記傾斜面に設けられていることを特徴とする光源装置。
【００１１】
本発明によれば、複数の発光素子が実装された基板と、発光素子が載置された複数の載置部を備える筐体と、を有する光源装置で、その筐体は、カバー部と底部とから構成され、このうちカバー部には、その周囲から中央に向けて上りの傾斜面が含まれるとともに、載置部は、その傾斜面に設けられていることとしたので、複数の発光素子における各々の光軸が、基板の法線方向と平行でなくなり、この法線方向から所定角度だけ外に傾くことになる。
【００１２】
すなわち、光源装置の前面において、複数の発光素子による光の照射領域が広がることになる。そして、例えば複数の光源装置を看板に設置する場合に、光の照射領域が広がれば、盤面の均一な明るさを確保するために必要とされる光源装置の個数も少なくて済む（配置間隔を大きく設定することができる）。従って、より少ない数の光源装置で盤面の均一な明るさを確保することができ、全体の製造コストが嵩むのを防ぐことができる。
【００１３】
ここで、カバー部に含まれる「上りの傾斜面」について、その傾斜角度の如何は問わない。例えば、「傾斜面」の法線方向と、「基板」の法線方向とのなす角を大きくすればするほど、光の照射領域を広げることができる一方で、発光素子を基板に実装し難くなる（作業性が悪化する）。これらの利点・不利点に鑑みれば、上記なす角は約１５°〜３０°であることが好ましい。また、「傾斜面」は平面であっても曲面であってもよいが、発光素子の取り付けを考慮すれば、平面であることが望ましい。
【００１４】
（２）  前記カバー部の内部には、当該カバー部の中央から前記底部に向かって延びる筒状部が形成され、前記基板には、前記筒状部が貫入する貫入孔が形成されているとともに、前記基板は、前記筒状部を前記貫入孔に挿入することによって位置決めされていることを特徴とする光源装置。
【００１５】
本発明によれば、上述したカバー部の内部には、カバー部の中央から底部に向かって延びる筒状部が形成され、基板には、この筒状部が貫入する貫入孔が形成されているとともに、基板は、筒状部を貫入孔に挿入することによって位置決めされていることとしたので、カバー部と底部とを取り付けるだけで、これらに内装される基板の位置決めを容易に行うことができる。
【００１６】
（３）  前記載置部は、凹状に形成されていることを特徴とする光源装置。
【００１７】
本発明によれば、上述した載置部は、凹状に形成されていることとしたので、載置部に載置される発光素子の位置決めを容易に行うことができる。
【００１８】
（４）  前記載置部には、樹脂が充填されていることを特徴とする光源装置。
【００１９】
本発明によれば、上述した載置部には、樹脂が充填されていることとしたので載置部に載置された発光素子がぐらつくのを防止するとともに、防水性を高めることができる。なお、本発明では、発光素子の固定に当たって、載置部にのみ樹脂を充填すれば足りることから、従来よりも樹脂の使用量を減らすことができ、ひいては乾燥時間の短縮化やポッティング剤の飛び散り防止等に寄与することもできる。
【００２０】
（５）  前記載置部の外周には、前記発光素子の表面よりも突出する壁部が立設されていることを特徴とする光源装置。
【００２１】
本発明によれば、上述した載置部の外周には、発光素子の表面よりも突出する壁部が立設されていることとしたので、例えば、光源装置の表面を板金やプラスチックに当接させた場合であっても、その板金には、発光素子の表面ではなく壁部が当接されることになる。従って、発光素子が傷ついたり破損したりしてしまうのを防ぐことができる。なお、本発明では、載置部に樹脂を充填した場合に、壁部によって樹脂が漏れ出るのを防ぐこともできる。
【００２２】
（６）  前記基板は、前記底部側から樹脂により封止されていることを特徴とする光源装置。
【００２３】
本発明によれば、上述した基板は、底部側から樹脂により封止されていることとしたので、基板がぐらつくのを防ぐことができるとともに、防水性を高めることができる。
【００２４】
（７）  発光素子と、当該発光素子が実装された基板と、当該基板に電流を供給するケーブルと、当該ケーブルと当該基板とを導通させる導通部材と、を有する光源装置において、前記導通部材は、前記ケーブルを押圧して導通させる切込溝を有するとともに、前記切込溝により前記ケーブルと前記導通部材とが接続されていることを特徴とする光源装置。
【００２５】
本発明によれば、発光素子が実装された基板と、基板に電流を流すケーブルと、そのケーブルと基板とを導通させる導通部材と、を有する光源装置において、導通部材は、ケーブルを押圧して導通させる切込溝を有するとともに、切込溝によりケーブルと導通部材とが接続されていることとしたので、光源装置の配置自由度を高めることができる。
【００２６】
すなわち、上述した導通部材に形成された切込溝によって、ケーブルの所望の位置に光源装置を取り付けることができ、ひいては光源装置の配置自由度を高めることができる。その結果、なるべく少ない数の光源装置によって、盤面の均一な明るさを確保することができる。
【００２７】
（８）  前記ケーブルと前記導通部材との接合部は、樹脂により封止されていることを特徴とする光源装置。
【００２８】
本発明によれば、上述したケーブルと導通部材との接合部（導通部）は、樹脂により封止されていることとしたので、防水性を高めるとともに、漏電を防止することができる。
【００２９】
（９）  前記基板は、樹脂により被覆されているとともに、当該樹脂は、前記基板と前記接合部との間に充填されていることを特徴とする光源装置。
【００３０】
本発明によれば、上述した基板は、樹脂により被覆されているとともに、その樹脂は、基板と接合部との間に充填されていることとしたので、基板や接合部のぐらつきを防ぐことができる。また、防水性を更に高めることができる。
【００３１】
（１０）  （７）から（９）記載の光源装置を複数備えるとともに、それらが前記ケーブルによって連結されていることを特徴とする光源ユニット。
【００３２】
本発明によれば、上述した光源装置を複数備えるとともに、それらがケーブルによって連結されていることとしたので、例えば看板等の内部に設置したときに、必要最小限個数の光源装置によって、盤面の均一な明るさを確保することが可能な光源ユニットを提供することができる。
【発明の効果】
【００３３】
本発明に係る光源装置及び光源ユニットによれば、盤面における明るさの均一化及び複数の発光素子による光の照射領域を広げることができる。また、例えば看板等の内部に設置したときに、盤面における明るさの均一化に必要とされる光源装置の数を減らすことができる。また、光源装置の配置自由度を高めることができるとともに、ケーブルに対してその位置決めを容易にすることができ、さらには作業性を高めることができる。
【発明を実施するための最良の形態】
【００３４】
以下、本発明を実施するための最良の形態について、図面を参照しながら説明する。
【００３５】
［光源装置］
図１は、本発明の実施の形態に係る光源装置１を上から見たときの外観を示す平面図である。図２は、光源装置１を横から見たときの外観を示す側面図である。図３は、光源装置１を縦方向に切断したときの縦断面図である。図４は、光源装置１を分解したときの様子を示す分解斜視図である。
【００３６】
図１〜図４において、光源装置１は、主として、４個のＬＥＤ（発光素子の一例）１１と、ＬＥＤ１１が実装された（回路）基板１２と、４個のＬＥＤ１１が載置された４個の載置部１３を備えるカバー部（上ケース）１４と、基板１２を内装するようにカバー部１４と係合する底部（下ケース）１５と、から構成されている。
【００３７】
なお、正方形状のカバー部１４には、底部１５と係合するための４個の係合部（リブ）１４ａが形成されているとともに（図４参照）、底部１５には、これら各々の係合部１４ａに係合するための４個のフック部（爪）１５ａが形成されており（図４参照）、係合部１４ａとフック部１５ａが係合（嵌合）することによって、光源装置１の筐体となる。また、基板１２には、定電流用のＩＣや抵抗等が搭載されており、ＬＥＤ１１を均一に光らせるための定電流回路が形成されている。
【００３８】
カバー部１４の内部には、カバー部１４の中央から底部１５に向かって延びる筒状部１４ｂが形成されており（図３参照）、基板１２には、この筒状部１４ｂが貫入する貫入孔１２ａが形成されている（図４参照）。図３に示すように、筒状部１４ｂは、小径部１４ｃと大径部１４ｄから構成されており、両者が連通する部分には段部１４ｅが形成されている。これにより、筒状部１４ｂを貫入孔１２ａに挿入すれば、基板１２の貫入孔１２ａの周縁が段部１４ｅに当接し、基板１２を位置決めすることができるので、容易な位置決めが実現可能である。このように、段部１４ｅが存在することによって、基板１２の軸線方向の位置決めができるとともに、筒状部１４ｂの外周での径方向の位置決めもできる。なお、筒状部１４ｂ（小径部１４ｃ）は、底部１５に接することころまであるので、上下方向の外圧に対し、光源装置１の筐体の剛性向上に寄与している。
【００３９】
また、本実施形態において、カバー部１４の筒状部１４ｂは内部が空洞になっており、固定孔１４ｆを形成している。この固定孔１４ｆに、光源装置１の外部からネジを嵌め込む（或いは捻じ込む）ことによって、看板内部における設置ラインに容易に位置決めすることが可能である。具体的に説明すると、底部１５の中央部分には突起部１５ｂ及びネジ孔１５ｃが形成されており（図４参照）、筒状部１４ｂの小径部１４ｃ先端を突起部１５ｂに取り付けた後（図３参照）、外部から１本のネジを固定孔１４ｆに挿通してネジ孔１５ｃに嵌め込む（或いは捻じ込む）。そして、例えば看板内部における設置ラインにも、ネジ孔１５ｃと同様の設置用ネジ孔を設け、この設置用ネジ孔にネジを嵌め込んで（或いは捻じ込んで）光源装置１を固定することによって、ネジ１本での光源装置１の位置決めを実現することができる。
【００４０】
図４に示すように、カバー部１４は、基板１２の一方側（図４でいえば上側）を覆っているとともに、底部１５は、基板１２の他方側（図４でいえば下側）を覆っている。また、カバー部１４の上面には、カバー部１４の周囲から中央（固定孔１４ｆ）に向けて上りの傾斜面１４ｇが含まれている。そして、傾斜面１４ｇには、ＬＥＤ１１を載置するための載置部（底付き穴）１３が形成されている。すなわち、ＬＥＤ１１はカバー部１４の外側から取り付けられる。
【００４１】
載置部１３は、ＬＥＤ１１とほぼ同じ輪郭からなる凹状に形成されており、各載置部１３の内部にはＬＥＤ１１の４本の足（４本の端子１１ａ）を挿入するためのＬＥＤ固定孔１４ｈが４個形成されている（図４参照）。各ＬＥＤ１１は、４本の端子１１ａが４個の楕円形状のＬＥＤ固定孔１４ｈに挿入されることによって、基板１２に実装されるようになっている。なお、基板１２において、４個の端子１１ａは半田２０によって固定される（後述する図５参照）。
【００４２】
また、載置部１３には、図示しない樹脂が充填されており、この樹脂によってＬＥＤ１１がカバー部１４に固定されている。また、これにより、防水性も高まっている。なお、本実施形態に係る光源装置１のように、載置部１３のみに樹脂を充填してＬＥＤ１１を固定することができれば、接着面を小さくすることができる結果、樹脂の使用量を減らせるので、乾燥時間の短縮化やポッティング剤の飛び散り防止等に寄与することができる。
【００４３】
また、載置部１３の外周には、ＬＥＤ１１の表面よりも突出する壁部１４ｉが立設されている。これにより、例えば光源装置１の表面を板金やプラスチックに当接させた場合であっても、それらがＬＥＤ１１の表面に当接することはない。従って、ＬＥＤ１１の表面が傷つくのを防ぐことができる。
【００４４】
さらに、図２及び図３に示すように、本実施形態に係る光源装置１では、基板１２の法線方向と、傾斜面１４ｇ（或いは載置部１３の載置面）の法線方向とのなす角は、１５°となるように設計されている。その結果、載置部１３に載置された各ＬＥＤ１１は、外側に傾いた状態で固定されている。これにより、光の照射領域を広げることができるとともに（照射角度が３０°広がる）、ＬＥＤ１１の端子１１ａを基板１２に実装する作業を容易にすることができる。具体的に説明すると、基板１２の法線方向と、傾斜面１４ｇ（或いは載置部１３の載置面）の法線方向とのなす角を大きくすれば、確かに光の照射領域は広がるが、ＬＥＤ１１を載置部１３に載置したときに端子１１ａが大きく傾き、基板１２に半田付けし難くなる（一部の端子１１ａが基板１２の裏面に飛び出なくなるため）。一方で、基板１２の法線方向と、傾斜面１４ｇ（或いは載置部１３の載置面）の法線方向とのなす角を小さくすれば、確かに端子１１ａの半田付けはし易くなるが、光の照射領域が狭まる。従って、端子１１ａの半田付け作業の簡易性を考慮しつつ、できるだけ光の照射領域を広げるため、本実施形態では、なす角として１５°を採用している。
【００４５】
図５は、基板１２が取り付けられたカバー部１４を、裏側から見たときの様子を示す図である。なお、上述したように、筒状部１４ｂの小径部１４ｃは、基板１２中央にある貫入孔１２ａに挿入されており、これにより基板１２がカバー部１４に位置決めされている。また、基板１２の全体を、底部１５側から樹脂（図示せず）により封止することで、基板１２がグラつくのを防いだり、防水性を高めたりすることができる。
【００４６】
図４及び図５において、光源装置１は、上述したＬＥＤ（発光素子の一例）１１、ＬＥＤ１１が実装された基板１２、カバー部１４及び底部１５からなる筐体の他、基板１２に電流を供給する（電源）ケーブル３０と、ケーブル３０と基板１２とを導通させる２個の導通部材（ターミナル）４０と、を有している。
【００４７】
ケーブル３０は、例えばネオフロンＦＥＰなどの（絶縁）被覆材により被覆された２本の銅線３０ａ，３０ｂから構成されており、光源装置１の内部に入っていく段階では１本に纏められている。そして、光源装置１の内部に入った後、底部１５の中央部分に形成された突起部１５ｂを回避するため、銅線３０ａと銅線３０ｂとが２本に分かれている（図４参照）。なお、本実施形態では、取扱いを簡便にするために、光源装置１の外部ではケーブル３０を１本に纏めているが、本発明はこれに限られず、例えば光源装置１の外部においても銅線３０ａと銅線３０ｂとを２本に分けてもよい。
【００４８】
２個の導通部材４０は、それぞれケーブル３０を押圧して導通させる切込溝４０ａを有している（図５参照）。図６は、導通部材４０の切込溝４０ａによって、ケーブル３０の被覆材が破れている様子を示す図である。図６によれば、ケーブル３０の銅線３０ａ，３０ｂを覆う被覆材に、裂け目３０ｃが入っている。このように、導通部材４０をケーブル３０に押圧するだけで、切込溝４０ａがケーブル３０の被覆材に食い込み、導通部材４０がケーブル３０内の銅線３０ａ，３０ｂと接触し、ケーブル３０内を流れる電流が基板１２に供給されることになる。なお、この切込溝４０ａによって、ケーブル３０と導通部材４０とが接続されている（図４参照）。
【００４９】
また、ケーブル３０と導通部材４０との接合部（導通部材４０がケーブル３０内の銅線３０ａ，３０ｂと接触した部分）は、図示しない樹脂（例えば透明樹脂）によって封止されている（空気と遮断されている）。これにより、防水性・防錆性を高めるとともに、漏電を防ぐことができるようになっている。
【００５０】
さらに、基板１２は、例えばシリコン系の樹脂によって（完全に）被覆されているとともに、その樹脂は、基板１２と上述した接合部との間に充填されている。これにより、基板１２や接合部のグラつきを防止することができるとともに、防水性を更に高めることができる。
【００５１】
なお、２個の導通部材４０に形成された２個の圧入部４０ｂは、基板１２に形成された２個の導通部材固定孔１２ｂを挿通して、カバー部１４の裏面に設けられた圧入溝（図示せず）に差し込まれる。そして、各導通部材４０の一部が基板１２のパターン部分に半田付けされる。これにより、導通部材４０が基板１２及びカバー部１４に固定されるようになっている。
【００５２】
［光源ユニット］
図７は、本発明の実施の形態に係る光源ユニット５０の外観を示す平面図である。なお、図７に示す光源ユニット５０では、上述した光源装置１を２個用いているが、これは何個であってもよい。
【００５３】
図７に示すように、光源ユニット５０では、１本のケーブル３０に、２個の光源装置１が取り付けられている（すなわち、２個の光源装置１がケーブル３０によって連結されている）。ケーブル３０に光源装置１を取り付ける際、上述したように、導通部材４０の切込溝４０ａを活用するようにしているので、ケーブル３０の任意の位置に取り付けることができる。
【００５４】
図８は、光源ユニットの使用例として、光源装置１を８個用いた光源ユニットを、「Ｎ」字型の看板１００内に取り付けたときの様子を示す図である。
【００５５】
図８に示すように、１本のケーブルによって連結された８個の光源装置１が、Ｎ字形状に沿って固定されている。このとき、上述したように光源装置１をケーブル３０の任意の位置に取り付けることができるため、看板１００の盤面における明るさが均一になるように、必要最小限の光源装置１を固定することができる（図８では８個）。これにより、盤面における明るさの均一化に必要とされる光源装置１の数を減らすことができる。
【００５６】
［実施形態の効果］
以上説明したように、本実施形態に係る光源装置１によれば、４個のＬＥＤ１１における各々の光軸が、基板１２の法線方向と平行でなくなり、この法線方向から所定角度だけ外に傾くことになる（図２及び図３では、１５°傾いている）。すなわち、光の照射領域が広がることになる。従って、例えば図８に示すように、複数の光源装置１を看板に設置する場合に、光の照射領域が広がれば、盤面の均一な明るさを確保するために必要とされる光源装置１の個数も少なくて済む結果、看板を製造する際のコスト低減を図ることができる。
【００５７】
また、例えば図８に示すように、所定幅を有するＮ字形の看板１００に光源ユニットを設置する場合、光源ユニットを構成する８個の光源装置１は、カバー部１４中央の固定孔１４ｆを通じて、その中央で位置決めされる（Ｎ字の設置ラインに沿って位置決めされる）。従って、光源装置１の配置態様を定める際に、設計しやすい（設置ラインの設計負担を軽減することができる）、というメリットがある。
【００５８】
一方で、本実施形態に係る光源装置１は、導通部材４０に形成された切込溝４０ａによって、ケーブル３０の任意の位置に取り付けることができるので、光源装置１の配置自由度を高めることが可能である。すなわち、従来の光源装置では、例えば各メーカが定めているケーブルの標準長さ等によって、光源装置１同士の間隔を自由に調整するのは難しい場合があった。しかし、本実施形態に係る光源装置１であれば、切込溝４０ａをケーブル３０の所望位置に押圧することによって、ケーブル３０の任意の位置に取り付けることができるので、光源装置１の配置自由度を高め、より少ない数の光源装置１で盤面に均一な明るさを確保することができる。
【００５９】
また、何らかのトラブルで一部の光源装置１が故障した場合（ＬＥＤ１１の消灯を含む）、その故障した光源装置１を交換するだけでよいので、メンテナンス性を向上させることができる。また、基板１２やＬＥＤ１１は、カバー部１４に載置或いは固定されており、ケーブル３０が配置されている場所とは別の場所に配置されていることから、ケーブル３０の取り替えは容易となる。
【００６０】
さらに、筒状部１４ｂに外部からネジを嵌め込む（或いは捻じ込む）ことによって、例えば看板内部における設置ラインに対し、光源装置１の中央位置での位置決めを行うことが可能となる。従って、設置ラインの設計負担を軽減することができる。さらに、例えば、ネジ１本で光源装置１の中央を看板等の内部に固定するだけでよいので（すなわち２箇所以上の固定を必要としないので）、容易に位置決めを行うことができ、取り付け工事における施工性を向上させることができる（取り付ける際のズレも防止できる）。
【００６１】
なお、従来、照明看板用発光ダイオードアセンブリでは、ＬＥＤモジュールの看板本体への固定は、外周部分に設けたブラケットを使って、ネジ止めにより行われている。この場合、１箇所を固定するだけでは、位置決めがし難く（不安定な位置決めになる）、２箇所以上固定するとなると、手間が増えるなど作業性が悪くなる。しかし、本実施形態に係る光源装置１によれば、筒状部１４ｂに外部からネジ１本等を嵌め込むだけで位置決めが可能なので、位置決めが容易であって、かつ、作業性を向上させることができる。
【００６２】
［変形例］
図９は、本発明の他の実施の形態に係る光源装置１Ａを上から見たときの外観を示す平面図である。
【００６３】
図９に示す光源装置１Ａでは、図１に示す光源装置１と異なり、２個の傾斜面１４ｇが固定孔１４ｆを介して対向するように形成されている。そして、これらの傾斜面１４ｇに形成された載置部に、ＬＥＤ１１が載置されている。このように、本発明では、ＬＥＤ１１を２個配置することもできる。なお、ＬＥＤ１１の個数はいくつであってもよいが、偶数個とすることが好ましい。偶数個のＬＥＤ１１であれば、固定孔１４ｆを介して対向するように配置することができるからである。
【００６４】
また、図１に示す光源装置１では、カバー部１４の形状は、その上面（平面）における四隅の角を面取りした形状になっており（図９では、二隅の角を面取りした形状になっており）、中央付近（固定孔１４ｆ付近）は平面となっている。このように、筐体（カバー部１４及び底部１５）の上下面を平面にし、製品として薄くすることによって、装置全体のコンパクト化を図ることができる。
【００６５】
なお、本発明は、光源装置１や光源装置１Ａに示すカバー部１４の形状に限定されることなく、様々な形状のカバー部１４を考えることができる。例えば、その上面における周囲全縁を面取りした形状になっていてもよい。また、カバー部１４の全体がドーム形状の曲面になっていてもよい。なお、カバー部１４の全体をドーム形状としたときであっても、載置部が設けられる傾斜面は、ＬＥＤ１１の取り付け作業の作業性を考慮して、平面であることが好ましい。
【００６６】
一方で、導通部材４０については、材質（ただし、導電体でなければならない）・形状・大きさの如何を問わない。また、図４においては、ケーブル３０が２本に分かれることから切込溝４０ａも２箇所形成されているが、これは、例えばケーブル３０が２本に分かれないケースなど、切込溝４０ａが１箇所に形成されることを排除する趣旨ではない。また、本実施形態では、カバー部１４と底部１５とを別部材で考えることとしたが、これらを一部材で構成することとしてもよい。
【００６７】
さらに、本実施形態では、光源ユニットを看板やパネル等のバックライトとして用いた例を説明したが（図８参照）、本発明はこれに限られず、例えば、間接照明や棚照明など各種照明器具として活用することも可能である。
【産業上の利用可能性】
【００６８】
本発明に係る光源装置及び光源ユニットは、より少ない個数の光源装置で、例えば看板等の盤面における明るさを均一化することが可能なものとして有用である。また、盤面における明るさの均一化に必要とされる光源装置の配置自由度を高め、位置決めを容易にすることが可能なものとして有用である。
【図面の簡単な説明】
【００６９】
【図１】本発明の実施の形態に係る光源装置を上から見たときの外観を示す平面図である。
【図２】光源装置を横から見たときの外観を示す側面図である。
【図３】光源装置を縦方向に切断したときの縦断面図である。
【図４】光源装置を分解したときの様子を示す分解斜視図である。
【図５】基板が取り付けられたカバー部を、裏側から見たときの様子を示す図である。
【図６】導通部材の切込溝によって、ケーブルの被覆材が破れている様子を示す図である。
【図７】本発明の実施の形態に係る光源ユニットの外観を示す平面図である。
【図８】光源ユニットの使用例として、光源装置を８個用いた光源ユニットを、「Ｎ」字型の看板内に取り付けたときの様子を示す図である。
【図９】本発明の他の実施の形態に係る光源装置を上から見たときの外観を示す平面図である。
【符号の説明】
【００７０】
１  光源装置
１１  ＬＥＤ
１２  基板
１２ａ  貫入孔
１２ｂ  導通部材固定孔
１３  載置部
１４  カバー部
１４ａ  係合部
１４ｂ  筒状部
１４ｃ  小径部
１４ｄ  大径部
１４ｅ  段部
１４ｆ  固定孔
１４ｇ  傾斜面
１４ｈ  ＬＥＤ固定孔
１４ｉ  壁部
１５  底部
２０  半田
３０  ケーブル
４０  導通部材
４０ａ  切込溝
４０ｂ  圧入部
５０  光源ユニット
【図１】
2008227011.tif 000003
【図２】
2008227011.tif 000004
【図３】
2008227011.tif 000005
【図４】
2008227011.tif 000006
【図５】
2008227011.tif 000007
【図６】
2008227011.tif 000008
【図７】
2008227011.tif 000009
【図８】
2008227011.tif 000010
【図９】
2008227011.tif 000011